(57)【要約】【課題】  簡単な構造で小型化の可能な消火設備用流水検知装置を得ること。【解決手段】  逆止弁筐体１１ａ内の二次側弁室内において、弁体１６の周縁より外側位置に水流により回動し得るパドル２０を軸支すると共に、該パドル２０をそのパドル面が上記弁体１６と重なり合うことなくその回動端２０’が該弁体の側縁に近接する位置となるように配設し、上記パドル２０の回動端２０’とは反対側にスイッチ操作部材２０ａ’を設けると共に、該スイッチ操作部材２０ａ’によって駆動し得る流水検知スイッチ２２を設け、上記パドル２０の回動に基づく上記スイッチ操作部材２０ａ’の動きにより上記流水検知スイッチ２２を駆動するように構成する。【選択図】  図１
2007003377.tif 000002
【特許請求の範囲】
【請求項１】
逆止弁筐体内を一次側から二次側に向かう水流により流水検知用パドルを動作させて上記水流を検知する消火設備用流水検知装置であって、
逆止弁筐体内の二次側弁室内において、逆止弁を構成する弁体の周縁より外側位置に上記水流により回動し得るパドルを支持すると共に、
上記パドルをそのパドル面が上記弁体と重なり合うことなくその回動端が該弁体の側縁に近接する位置となるように配設し、
かつ上記パドルの回動端とは反対側にスイッチ操作部材を設けると共に、該スイッチ操作部材によって駆動し得る流水検知スイッチを設け、
上記パドルの回動に基づく上記スイッチ操作部材の動きにより上記流水検知スイッチを駆動するように構成したものであることを特徴とする消火設備用流水検知装置。
【請求項２】
上記パドルは、その回動端が上記弁体の回動端に近接する位置に配設されているものであることを特徴とする請求項１記載の消火設備用流水検知装置。
【請求項３】
上記二次側弁室の弁筐体壁面に取付孔を設けて当該取付孔にパドル支持体を装着し、該支持体に支持腕を回動可能に取り付け、該支持腕の弁室側の一端部に上記パドルを設け、上記支持腕の他端部に上記スイッチ操作部材を設け、上記弁筐体外部に上記流水検知スイッチを設けたものであることを特徴とする請求項１又は２記載の消火設備用流水検知装置。
【請求項４】
上記弁体の裏面に、弁体の開成時に一次側から二次側に向かう水流を上記パドルの方向に誘導する水流ガイド部材を設けたものであることを特徴とする請求項１〜３の何れかに記載の消火設備用流水検知装置。
【請求項５】
上記水流ガイド部材は、上記弁体裏面から一次側流水経路側に突出する水流ガイド板を具備しており、当該水流ガイド板により水流を上記パドル方向に誘導するものであることを特徴とする請求項４記載の消火設備用流水検知装置。
【発明の詳細な説明】
【技術分野】
【０００１】
本発明は、例えばオフィスビル、集合住宅、ホテル等のスプリンクラー設備に用いて好適な消火設備用流水検知装置に関するものである。
【背景技術】
【０００２】
従来、一般的なオフィスビルのスプリンクラー設備は、図１７に示すようにオフィスビルの各階毎に複数個のスプリンクラーヘッド２が設けられ、各階において上記各ヘッド２がスプリンクラー配管３を介して流水検知装置１１の二次側に接続され、かつ該流水検知装置１１の一次側に消火水配管４が接続され、各配管４はオフィスビルの地階に配設され、該地階において加圧送水ポンプ５、圧力保持ポンプ６を介して貯水槽７に接続されている。また、上記配管４には圧力タンク８及び上記配管４内の圧力低下を圧力タンク８を介して検出し得る圧力スイッチ９が接続されている。尚、同図中１０は屋上に配置された消火水の補助水槽である。
【０００３】
そして、上記スプリンクラー設備は警戒動作中において全配管内が水で満たされ上記圧力保持ポンプ６により静圧（加圧ポンプ５から最遠箇所で０．１ＭＰａ以上）が印加されており、何れかのエリアＲで火災が発生すると、スプリンクラーヘッド２’のノズルが熱により自動的に発砲し、配管３’内に充満する消火水が同ヘッド２’から放出され、かかる流水圧力により、上記エリアＲの上記流水検知装置１１のリードスイッチ等がオンしてこれにより火災警報等が発せられる。
【０００４】
また、上記ヘッド２’の発砲に基づく管内圧力の低下を圧力スイッチ９が検知してオンし、該オンに基づいて加圧送水ポンプ５が起動され、配管４内に貯水槽７内の消火水が加圧送水され、引き続いて上記スプリンクラーヘッド２’から消火水が放水され消火活動が行われるものである。
【０００５】
このようなスプリンクラー設備における上記流水検知装置として、従来、特許文献１、２に示すような装置が提案されている。
【０００６】
特許文献１の流水検知装置は、逆止弁の一次側にパドル型流水検知部を設けたものであり、二次側圧力の低下に伴う逆止弁の一次側から二次側への流水圧力を一次側のパドルで検出して検知部にて検知信号を発するものである。
【０００７】
特許文献２の流水検知装置は、いわゆる２ステップバルブ（予作動弁）の二次側にパドル型流水検知部を設けたものであり、２ステップバルブの開時の一次側から二次側への流水圧を二次側のパドルで検出するものである。
【０００８】
【特許文献１】特開２００３−１４９０２１号公報（図１、図２）
【特許文献２】特開２００３−２９０３８２号公報（図１、図２）
【発明の開示】
【発明が解決しようとする課題】
【０００９】
ところで、上記特許文献１のものは、逆止弁本体の一次側に流水検知パドルの収納用の導入管部を設ける必要があり、これにより逆止弁本体のサイズが大型化して、流水検知装置自体の小型化が難しいという課題がある。
【００１０】
特許文献２のものは、２ステップバルブの２次側に流水検知パドルの設置用の配管を設ける必要があり、上記特許文献１と同様に検知装置全体のサイズが大型化してしまい、小型化が難しいという課題がある。
【００１１】
また、流水検知装置としては、小型化の要請と共に、誤動作の防止、メンテナンスの容易さ等の要請から、その構造はできるだけシンプルなものが求められる。
【００１２】
本発明は、上記従来の各課題に鑑みてなされたもので、簡単な構造で小型化の容易な消火設備用流水検知装置を提供することを目的とするものである。
【課題を解決するための手段】
【００１３】
上記の目的を達成するため本発明は、
第１に、逆止弁筐体内を一次側から二次側に向かう水流により流水検知用パドルを動作させて上記水流を検知する消火設備用流水検知装置であって、逆止弁筐体内の二次側弁室内において、逆止弁を構成する弁体の周縁より外側位置に上記水流により回動し得るパドルを支持すると共に、上記パドルをそのパドル面が上記弁体と重なり合うことなくその回動端が該弁体の側縁に近接する位置となるように配設し、かつ上記パドルの回動端とは反対側にスイッチ操作部材を設けると共に、該スイッチ操作部材によって駆動し得る流水検知スイッチを設け、上記パドルの回動に基づく上記スイッチ操作部材の動きにより上記流水検知スイッチを駆動するように構成したものであることを特徴とする消火設備用流水検知装置により構成される。
【００１４】
上記パドルの回動端とは、パドル（２０）の回動軸に直交する中心線（ｎ）に沿う回動先端部分をいう。よって、火災等の発生に基づいて弁体（１６）が開成して一次側から二次側への水流が生じると、当該水流によりパドル（２０）が回動してそのスイッチ操作部材によって流水検知スイッチをオンすることができる。
【００１５】
第２に、上記パドルは、その回動端が上記弁体の回動端に近接する位置に配設されているものであることを特徴とする上記第１記載の消火設備用流水検知装置により構成される。
【００１６】
上記弁体の回動端とは、弁体（１６）の回動支持軸（１７ａ）に直交する中心線（ｍ）に沿う回動先端部分をいう。このように構成すると、弁体（１６）の開成時の回動端（１６’）に近接してパドル（２０）の回動端（２０’）が位置するので、弁体（１６）開成時の水流を上記パドル（２０）に効率良く誘導することができる。
【００１７】
第３に、上記二次側弁室の弁筐体壁面に取付孔を設けて当該取付孔にパドル支持体を装着し、該支持体に支持腕を回動可能に取り付け、該支持腕の弁室側の一端部に上記パドルを設け、上記支持腕の他端部に上記スイッチ操作部材を設け、上記弁筐体外部に上記流水検知スイッチを設けたものであることを特徴とする上記第１又は２記載の消火設備用流水検知装置により構成される。
【００１８】
このように構成すると、パドル支持体（１８等）を中心としてパドル（２０）及び流水検知スイッチ（２２）をユニット化することが可能となり、当該ユニットを小型化し得て、流水検知装置をコンパクトに構成することができる。
【００１９】
第４に、上記弁体の裏面に、弁体の開成時に一次側から二次側に向かう水流を上記パドルの方向に誘導する水流ガイド部材を設けたものであることを特徴とする上記第１〜３の何れかに記載の消火設備用流水検知装置により構成される。
【００２０】
第５に、上記水流ガイド部材は、上記弁体裏面から一次側流水経路側に突出する水流ガイド板を具備しており、当該水流ガイド板により水流を上記パドル方向に誘導するものであることを特徴とする上記第４記載の消火設備用流水検知装置により構成される。
【００２１】
このように構成することにより、水流ガイド部材（２４等）により水流をより効率的にパドルに誘導することが可能となる。
【００２２】
尚、本発明の構成に対応して実施形態中の符号をかっこ書で示したが、これは対応関係を明確にするために便宜上表示したものであって、本発明の構成が実施形態中の構成に限定されるものではない。
【発明の効果】
【００２３】
本発明によれば、その構造が簡単であるため故障や誤動作を極力少なくすることができ、メンテナンス性の良い消火設備用流水検知装置を実現し得る。
【００２４】
また、流水検知用パドルの回動端を弁体の周縁に近接して設けたので、少ない流量でパドルを作動させることが可能となり、これにより流水検知用パドルの面積を小さくし得て、流水検知装置自体を小型化することが可能となる。
【００２５】
また弁体の裏面に水流ガイド部材を設けることにより感度の高い流水検知装置を実現することができるものである。
【発明を実施するための最良の形態】
【００２６】
以下、本発明に係る消火設備用流水検知装置の実施形態を詳細に説明する。
【００２７】
図１及び図２は第１実施形態に係る流水検知装置１１を示すものであり、１１ａは逆止弁筐体としての弁筐体であって、一次側Ａ（貯水槽７側）から二次側Ｂ（スプリンクラー２側）に向かう流水経路（矢印Ｃ方向）が形成されており、一次側流水経路１２には一次側配管４に接続するための一次側の取付用フランジ１２ａ、二次側流水経路１３には二次側配管３に接続するための二次側の取付用フランジ１３ａが形成されている
。
【００２８】
上記一次側流水経路１２の弁室１１ａ’（二次側弁室）側の開口部１２ｂには水平の弁座１４が形成されており、該弁座１４には密閉用のオーリング１５が埋め込まれている。
【００２９】
１６は上記開口部１２ｂを二次側から開閉し得る逆止弁体としての円形弁体、１７，１７は（図３参照）上記二次側弁室１１ａ’の内壁に対向配置されたボス部であり、該ボス部１７，１７間には弁体支持用の支軸１７ａが軸支されている。上記弁体１６は、上記支軸１７ａにその腕部１６ａ，１６ａを以って開閉自在に軸支されており、当該弁体１６は、図１に示すように、上記開口部１２ｂのオーリング１５に密着した弁閉止状態と、一次側から二次側への水流によって矢印Ｄ方向に回動して上記開口部１２ｂを開放した弁開成状態とを採り得るように構成されている。
【００３０】
１８はパドル支持体であり、上記二次側弁室１１ａ’の上記支軸１７ａとは反対側の壁面に貫設された取付孔１９に止水状態で嵌着されている。このパドル支持体１８には（図４参照）、流水検知用パドル２０の支持腕２０ａがその中央屈曲部ｋを以って、該腕２０ａに直交する支軸２１により回動自在に支持されている。この支持腕２０ａの弁室１１ａ’側の一端には流水検知用パドル２０が接続され、上記支軸２１から弁筐体１１ａ外側方向に延びる上方屈曲部分には後述の可動接片２３ｂに接触する棒状のスイッチ操作部材２０ａ’が形成されている。尚、上記支持腕２０ａは全体として中央屈曲部ｋを中心とした「く」字状をなすものである（図４）。
【００３１】
このスイッチ操作部材２０ａ’の端部には上記可動接片２３ｂが弾性的に接触しており、上記支持腕２０ａ自体は上記可動接片２３ｂの弾性力により常時矢印Ｅ方向に若干回動附勢され、これにより常時は、上記支持腕２０ａ下部が上記パドル支持体１８に前面に突設されたストッパー部材１８ａに当接した状態を維持するように構成されている。そして、この支持腕２０ａが上記ストッパー部材１８ａに当接した回動附勢状態では、上記パドル２０は図１、図４に示す水平状態となるように構成されている。尚、図４、図５中Ｇ１，Ｇ２は止水用ゴムパッキンである。
【００３２】
ここで、上記弁体１６の支軸１７ａに直交する当該弁体１６の中心線をｍとすると（図３）、当該中心線ｍに沿う上記弁体１６の回動先端部を回動端１６’といい、上記弁体１６の周縁を符号１６”で示す。また、上記パドルの支軸２１に直交する上記パドル２０の中心線をｎとすると、当該中心線ｎに沿う上記パドル２０の回動先端部を回動端２０’という（図３）。
【００３３】
上記流水検知用パドル２０は左右方向に横長の略長方形状をなし（図３参照）、上記支持腕２０ａの先端に固着されている。このパドル２０は、図１に示す水平状態で、その弁体１６側の回動端２０’が、上記弁体１６の回動端１６’に接触しないよう、上記弁体６の回動端１６’と上記回動端２０’との間には僅かの間隙ｔが形成されるように設けられる（図１）。即ち、上記弁体１６の周縁より外側の位置に上記パドル２０を支持（軸支）すると共に、上記パドル２０をそのパドル面が上記弁体１６と重なり合うことなくその回動端２０’が上記弁体１６の側縁（図１の場合は回動端１６’）に近接する位置となるように配設する。
【００３４】
この流水検知用パドル２０は、上記弁筐体１１ａ内に充水された火災警戒状態では、上記回動附勢状態、即ち、図１に示すように、上記開口部１２ｂ周辺の弁室１１ａ’側の水平段部１２ｂ’に沿う水平な状態で支持され、かかる状態において、当該パドル２０の設置位置は、上記弁体１６の上面位置より多少上側に位置するように配設されている。その結果、上記パドル２０の下側と、上記水平段部１２ｂ’の上側には小空間Ｓが形成されるように構成配置される。このような構成により、上記弁体１６の開成方向への回動動作（矢印Ｄ方向）を、上記回動端１６’は上記パドル２０に接触することなく行うことができる。
【００３５】
２２は火災警報スイッチとしての流水検知スイッチであり、上記パドル支持体１８の弁筐体１１ａ外側に接続固定されている。この流水検知スイッチ２２は、固定接片２３ａと、上端部ｑを固定された弾性板からなる可動接片２３ｂとを有しており（図４）、上記可動接片２３ｂが上記スイッチ操作部材２０ａ’に接触することで、上記パドル２０に矢印Ｅ方向の回動附勢力を与えている。このスイッチ２２は、上記弁体１１の一次側Ａから二次側Ｂへの流水圧力により上記パドル２０が矢印Ｆ方向に回動することにより、上記可動接片２３ｂが上記操作部材２０ａ’により固定接片２３ａ側に押されて該接片２３ａに接触しオンし得るように構成されている（図５の状態）。
【００３６】
また、水流が停止する等して上記パドル２０への流水圧力が消勢すると、上記可動接片２３ｂが弾性復帰して上記固定接片２３ａから離間してオフ状態となる。このとき、上記パドル２０は上記可動接片２３ｂの弾性復帰力により矢印Ｅ方向に回動附勢されて上記支持腕２０ａが上記ストッパー部材１８ａに接触する水平状態（図１、図４の状態）に復帰する。
【００３７】
本発明に係る消火設備用流水検知装置は、上述のように構成されるものであるから、次にその動作を説明する。
【００３８】
（１）火災警戒状態
本発明に係る流水検知装置１１は、図１７に示すオフィスビルの各階に配置され、一次側フランジ１２ａに一次側配管４が接続され、二次側フランジ１３ａに二次側配管としてのスプリンクラー配管３が接続されており、上記配管４、３及び流水検知装置１１内（弁筐体１１ａ内）は、消火水で満たされており、圧力保持ポンプ６にて静圧（末端で０．１ＭＰａ以上）が印加された火災警戒状態を維持している。
【００３９】
この火災警戒状態においては、図１に示すように、弁体１６は閉止状態であり、流水検知用パドル２０も同図の水平状態となっており、該パドル２０下側には空間Ｓが形成されている。
【００４０】
（２）火災が発生したときの動作
かかる火災警戒状態において、例えば図１７のエリアＲにて火災が発生し、当該火災により特定のスプリンクラーヘッド２（例えばスプリンクラーヘッド２’）が発砲すると、スプリンクラー配管３’内に充満していた消火水が上記スプリンクラーヘッド２’から放出され、これにより流水検知装置１１の二次側圧力が低下し、当該圧力低下に基づいて上記流水検知装置１１において一次側から二次側への水流（矢印Ｃ方向）が発生する。
【００４１】
即ち、上記二次側圧力の低下により弁筐体１１ａ内の弁体１６がパドル２０に接触することなく矢印Ｄ方向に回動し、一次側流水経路１２から弁室１１ａ’を介して二次側流水経路１３方向（矢印Ｃ方向）への水流が発生する。
【００４２】
このとき、上記弁体１６が上記支軸１７ａを支点として回動（開成動作）すると、該回動動作の初期（図２の弁体１６の実線位置、開成角度θ）において弁体１６の回動端１６’近傍位置から上記パドル２０の下側の空間Ｓを通って二次側流水経路１３側に水流が生じ（図５矢印Ｇ参照）、かかる水流の圧力により上記パドル２０が矢印Ｆ方向に回動する。このとき、上記パドル２０は弁体１６の開口角度の大きい回動端１６’側に近接して位置しているので、一次側Ａから二次側Ｂへの流量は上記パドル２０の下側空間Ｓ近傍で大となり、かかる空間Ｓを通る水流によりパドル２０を効率的に作動させることができる。
【００４３】
上記パドル２０が矢印Ｆ方向に回動すると、警報スイッチ２２の可動接片２３ｂが上記操作部材２０ａ’により押されて固定接片２３ａに接触し（図２、図５参照）、これにより流水検知スイッチ２２がオンする。よって、当該流水検知スイッチ２２のオンにより警報機（図示せず）が作動して警報音が鳴り、火事が発生したことを住人に知らせることができる。尚、一次側Ａから二次側Ｂへの流量により上記弁体１６は図２の二点鎖線位置まで回動するが、上記パドル２０による上記スイッチ２２のオン動作は上記弁体１６の開成初期動作（例えば図１の弁体１６の実線位置の開成角度θ）にて行われる。
【００４４】
さらに、上記スプリンクラーヘッド２’の発砲に基づく配管３、４の圧力低下は、圧力タンク８を介して圧力スイッチ９により検出され、当該検出に基づいて加圧送水ポンプ５が駆動され、これにより引き続き配管４内に貯水槽７内の消火水が圧力送水され、当該送水された消火水が開状態の上記弁体１６を介して引き続き上記スプリンクラーヘッド２’から放水されて消火動作が続行される。
【００４５】
尚、消火作業が終了して、上記弁筐体１１ａ内の水流が消勢すると、上記可動接片２３ｂの附勢力により上記パドル２０は矢印Ｅ方向に回動復帰して、ストッパー部材１８ａに当接した水平状態に復帰する。
【００４６】
このように、本発明に係る消火設備用流水検知装置では、二次側弁室１１ａ’内において、弁体１６の回動端１６’に、流水検知用のパドル２０の回動端２０’が近接するように、当該流水検知用パドル２０を設けたので、弁体１６自体には、流水検出用のパドル２０を設ける必要がなく、弁体１６とパドル２０は何等接触がないので、パドル２０による弁体１６自体の圧力損失を殆どなくすことができる。
【００４７】
また、流水検知用のパドル２０を弁体１６の回動端１６’に近接して設けているので、少ない流量でパドル２０を作動させることが可能となり、これにより流水検知用パドル２０自体の面積を非常に小さくすることができ、当該パドルを作動させるための圧力損失を極めて小さくすることができる。
【００４８】
また、本発明に係る流水検知装置は、通常の逆止弁として用いられる弁筐体１１ａの二次側弁室１１ａ’の側壁に取付孔１９を貫設し、当該取付孔１９を介して上記流水検知用パドル２０、パドル支持体１８及び流水検知スイッチ２２を図１に示すように設置することにより構成することができるため、流水検知パドルや警報スイッチを設置するための連結管や弁筐体を別途設ける必要はなく、このため、流水検知装置自体を極めて小型に構成することができる。
【００４９】
また、このようにパドルを含め流水検知のための機構を極めて小型に構成できるので、パドル２０、パドル支持体１８等のユニットを既存の逆止弁筐体に設置することも可能である。
【００５０】
図６に示すものは、当該第１の実施形態における流水検知用パドル２０の他の実施形態であり、上記パドル２０の回動端２０’を上記円形の弁体１６の回動端１６’に沿う凹状円弧形状としたものである。このように、パドル２０の回動端２０’を円形弁体１６に沿う凹状円弧形状とすることによって、上記弁体１６の回動端１６’側の周縁と上記パドル２０の回動端２０’との間隙をより少なくすることができる。これによって上記パドル２０により、上記弁体１６の開成時に一次側Ａから二次側Ｂに生じる水流をより効率的に受けることができ、該パドル２０の作動感度をより向上させることができる。
【００５１】
図７に示すものは、当該第１の実施形態における流水検知用パドル２０のさらに他の実施形態であり、上記パドル２０及び流水検知スイッチ２２の弁筐体１１ａへの取り付け位置を、図１、図６の実施形態に対して９０度移動させたものである。即ち、上記パドル２０を上記弁体１６の回動端１６’に対して直交する位置に設けたものである。この場合、弁体１６の開成時には、上記パドル２０は弁体１６の回動端１６’側から９０度移動した位置（直交位置）に存在しているが、上記開口部１２ｂから上記弁体１６の回動端１６’から直交する周縁１６”近傍から二次側Ｂに向かう水流によりパドル２０を同様に作動させることができる。
【００５２】
また、パドル２０及び流水検知スイッチ２２の取り付け位置は、パドル２０の感度を向上させる観点からすると、弁体１６の開成に伴う開口面積の大きい部分に対応した位置、即ち当該弁体１６の回動端１６’に対向する位置（図６の位置）に設けることが好ましいが、本発明に係る流水検知装置の構成では、パドル２０の回動端２０’が弁体１６の周縁１６”に近接して位置しているので、小流量でパドル２０を作動することができ、このため当該パドル２０の取り付け位置は、上記二次側弁室１１ａ’内において、上記弁体１６の支軸１７ａ近傍を除く周縁１６”に対応する位置であればどこでも取り付けることができる。
【００５３】
図８、図９に示すものは、本発明に係る流水検知装置の第２の実施形態を示すものであり、上記弁体１６の下面に水流ガイド部材２４（図１３）を設けたものである。尚、当該第２の実施形態において上記水流ガイド部材２４以外の構成は、上記第１の実施形態と同様であるため、第１の実施形態と同一部分には同一符号を付し、便宜上それらの説明は省略する。
【００５４】
上記水流ガイド部材２４は、一次側Ａから二次側Ｂへの水流により上記弁体１６が開成する際に、一時側Ａから二次側Ｂに流れる水流を上記パドル２０側（上記空間Ｓ側）に誘導することにより（図１２矢印Ｇ’参照）、上記パドル２０の開閉感度をさらに向上させるものである。
【００５５】
この水流ガイド部材２４は、図１３に示すように、台形状の基板２４ａと該基板２４ａの左右側縁を下方に向けて略直角に折曲して形成した同一形状の一対の水流ガイド板２４ｂ、２４ｂとから構成されており、これら水流ガイド板２４ｂ，２４ｂは基板２４ａの長辺側の下辺２５から短辺側の上辺２６に行くにつれてその上下方向幅が徐々に大きくなるように形成している。上記水流ガイド板２４ｂ，２４ｂの上下方向幅をこのように構成することにより、例えば弁体１６が図９に示すように少し開いた状態（角度θ度）においても、上記水流ガイド板２４ｂ，２４ｂの下縁２４ｂ’が水平状態を維持し得るので、かかる開成状態においても効果的に水流をパドル２０方向に誘導し得る。
【００５６】
この水流ガイド部材２４は、上記弁体１６の裏面に図１０に示すように、上記上辺２６側を上記パドル２０に向けた状態で２箇所のスポット溶接Ｐにより固着されており、これにより上記水流ガイド板２４ｂ，２４ｂの間隔は、上記パドル２０方向に向けて徐々に狭くなるように構成される。
【００５７】
本発明に係る流水検知装置（第２の実施形態）は上述のように構成されるので次にその動作を説明する。火災警戒状態においては、上記第１の実施形態と同様に、上記弁筐体１１ａ内は充水状態であり、図８に示すように、弁体１６は閉止状態であり、流水検知用パドル２０も同図の水平状態を維持しており、該パドル２０下側には空間Ｓが形成された状態となっている。
【００５８】
かかる火災警戒状態において、第１の実施形態と同様に、例えば図１６のエリアＲにて火災が発生し、当該火災により特定のスプリンクラーヘッド２（例えばスプリンクラーヘッド２’）が発砲すると、スプリンクラー配管３’内に充満していた消火水が上記スプリンクラーヘッド２’から放出され、これにより流水検知装置１１の二次側圧力が低下し、当該圧力低下に基づいて上記流水検知装置１１において一次側Ａから二次側Ｂへの水流（矢印Ｃ方向）が発生する。
【００５９】
そして上記弁体１６が上記支軸１７ａを支点として回動（開成動作）すると、弁体１６の回動端１６’近傍位置から上記パドル２０の下側の空間Ｓを通って二次側流水経路１３側に水流が生じ（図８矢印Ｃ参照）、かかる水流の圧力により上記パドル２０が矢印Ｆ方向に回動する。この上記弁体１６の開成動作の初期動作（例えば、上記弁体１６が図９の角度（約θ度）まで開く過程において）、一次側流水経路１２から上記弁体１６方向に生じる水流は、上記弁体１６の下面において水流ガイド部材２４の水流ガイド板２４ｂ，２４ｂにより上記パドル２０の方向（空間Ｓの方向）に誘導される（図１２矢印Ｇ’）。即ち、上記弁体１６方向に生じる水流は、徐々にその間隔を上記パドル方向に向けて狭くなる上記水流ガイド板２４ｂ、２４ｂによって上記パドル２０の方向に集中され、効果的に上記パドル下側空間Ｓ方向に誘導される。よって、少ない流量で弁体１６の開き角度が小さい場合であってもパドル２０を効果的に作動させることができる。
【００６０】
上記パドル２０が矢印Ｆ方向に回動すると、流水検知スイッチ２２の可動接片２３ｂが上記スイッチ操作部材２０ａ’により押されて固定接片２３ａに接触し、これにより流水検知スイッチ２２がオンする。よって、当該スイッチ２２のオンにより警報機（図示せず）が作動して警報音が鳴り、火事が発生したことを住人に知らせることができる。以降の動作は第１の実施形態と同様である。
【００６１】
このように、本発明に係る流水検知装置（第２の実施形態）では、上記第１の実施形態と同様の効果を奏し得ると共に、弁体１６裏面に設けた水流ガイド部材２４によって、一次側Ａから二次側Ｂに流れる水流を効果的にパドル２０方向に誘導することができ、より少ない流量で流水検知用パドル２０を確実に作動させることができるものである。
【００６２】
図１４に示すものは、当該第２の実施形態におけるパドル２０の他の実施形態であり、上記第１の実施形態の図６と同様に、上記パドル２０の回動端２０’を上記円形の弁体１６の周縁（回動端１６’）に沿う凹状円弧形状としたものである。このように、パドル２０の先端側縁２０’を円形弁体１６の周縁に沿う凹状円弧形状とすることによって、当該パドル２０は、上記弁体１６の開口時に一次側Ａから二次側Ｂに生じる水流をより効率的に受けることができ、上記水流ガイド部材２４の作用と相俟って上記パドル２０の感度をより向上させることができる。
【００６３】
図１５（イ）に示すものは、当該第２の実施形態におけるパドル２０のさらに他の実施形態であり、上記パドル２０及び流水検知スイッチ２２の弁筐体１１ａへの取り付け位置を図１４の実施形態に対して９０度移動させたものである。即ち、上記パドル２０を上記弁体１６の回動端１６’に対して直交する位置に設けたものである。この場合、弁体１６の開成時には、上記開口部１２ｂから上記弁体１６の回動端１６’に対して直交する周縁１６”近傍から二次側Ｂに向かう水流によりパドル２０を作動させることができる。
【００６４】
図１５（ロ）は、この場合の水流ガイド部材２７を示すものであり、この水流ガイド部材２７は、三角形状の基板２７ａと該基板２７ａの隣接する２辺から下方に向けて略直角に設けられた水流ガイド板２７ｂ、２７ｃとから構成されており、上記水流ガイド板２７ｂ、２７ｃは、上記基板２７ｂの頂点ｒ側に行くに従いその上下方向幅を徐々に大きくなるように形成されている。上記水流誘導板２７ｂ，２７ｃの上下方向幅をこのように構成することにより、例えば弁体１６が図９に示すように少し開いた状態（角度θ）において、上記第１の実施形態と同様に、上記水流ガイド板２７ｂ，２７ｃの下縁２７ｂ’，２７ｃ’が略水平状態となるので、弁体１６の開成動作の初期において効率的に水流をパドル２０方向に誘導することができる。
【００６５】
この水流ガイド板２７は、上記弁体１６の裏面に図１５（イ）に示すように、上記水流ガイド板２７ｂ，２７ｃの形成されていない一辺を上記パドル２０方向に向け、かつ上記水流ガイド板２７ｂが上記パドル２０の長手方向に略平行となるような状態で、上記弁体１６裏面に２箇所のスポット溶接Ｐにより固着されている。当該水流ガイド板２７をこのような向きで上記弁体１６裏面に固定することにより、その水流ガイド板２７ｂ，２７ｃによって、一次側Ａから弁体１６下面方向に流れる水流を、弁体１６の回動端１６’に対して直交する方向に誘導してパドル２０方向に誘導、集中させることができる。
【００６６】
これにより、流水検知用パドル２０を上記弁体１６の回動端１６’に対して直交する方向に取り付けた場合であっても、効果的に水流を上記パドル２０方向に誘導して、当該パドル２０の作動感度を向上させることができるものである。
【００６７】
尚、当該第２の実施形態においても、流水検知用パドル２０の取り付け位置は、上記弁筐体１１ａ内壁（弁室１１ａ’内）において、弁体１６の支軸１７ａ近傍位置を除く周縁１６”に対応する位置であれば、どの位置に設けても良い。また、この場合、取り付け位置のパドル２０へ効果的に水流を誘導するように水流ガイド板２７ｂ，２７ｃを構成すればよい。このように、水流ガイド部材２７により、一次側Ａから二次側Ｂへの水流をパドル２０に誘導するように構成することにより、パドルを上記弁体１６の周縁１６”に対応するどの位置に取り付けても、感度の高い流水検知装置を構成することができる。
【００６８】
図１６に示すものは、本発明に係る流水検知装置の第３の実施形態であり、取付孔１９内において、パドル２０の支持腕２０ａをゴム等の弾性体からなるパドル支持体２８によって水平に支持したものである。このパドル支持体２８は上記取付孔１９の弁筐体１１外側位置において取付板２９を介してボルト３０，３０により止水状態で取り付けられており、弁室１１ａ’側に突出する取付部２８ａにより上記支持腕２０ａを水平状態で挟持するものである。よって、弁体１６が開成して矢印Ｃ方向の水流により上記パドルが矢印Ｆ方向に回動すると、スイッチ操作部２０ａ’が流水検知スイッチ２２の可動接片２３ｂを固定接片２３ａに接触させ、当該スイッチ２２をオンすることができる。かかる構成によると、パドル２０の支持構成をより簡略化することができる。尚、水流が消勢した場合は、上記支持体２８の弾性力により上記パドル２０は水平状態に復帰する。
【００６９】
以上のように本発明の消火設備用流水検知装置１１によれば、その構造が簡単であるため故障や誤動作を極力少なくすることができ、メンテナンス性を高めることができる。
【００７０】
また、弁体１６の回動端１６’等の周縁に近接してパドル２０の回動端２０’を設けたので、パドル２０の作動感度を高めることができ、これにより流水検知感度を高く維持しつつ、パドル２０の面積を小さくすることができる。
【００７１】
また、弁体１６の裏面に水流ガイド部材２４（２７）を設けた場合は、パドル２０の作動感度をさらに高めることができる。このため、該水流ガイド板２４（２７）は、例えば流量が小の場合や管径が大で消火水の流速が遅い場合等に適用することにより、パドル２０の作動感度を高く維持することができる。
【００７２】
また、パドル２０の面積を小さくすることが可能であるため、パドル２０や流水検知スイッチ２２等を小型化することができ、当該パドル２０及び流水検知スイッチ２２を既存の逆止弁筐体１１ａ内に取り付けることも可能となり、パドル２０取り付けのための特別の管体等を必要とせず、流水検知装置全体を非常に小型化することが可能となる。
【００７３】
さらにパドル面積自体が小さいのでパドル２０による水流抵抗も小さく、圧力損失を非常に低くすることができる。
【図面の簡単な説明】
【００７４】
【図１】本発明に係る第１の実施形態の消火設備用流水検知装置の側面断面図である。
【図２】同上装置の側面断面図であり、弁の開成状態を示すものである。
【図３】同上装置の横断面図である。
【図４】同上装置のパドル近傍の要部側面図である。
【図５】同上装置のパドル近傍の要部側面図であり、弁開成状態を示すものである。
【図６】同上装置の他の実施形態の横断面図である。
【図７】同上装置の他の実施形態の横断面図である。
【図８】本発明に係る第２の実施形態の消火設備用流水検知装置の側面断面図である。
【図９】同上装置の側面断面図であり、弁の開成状態を示すものである。
【図１０】同上装置の横断面図である。
【図１１】同上装置のパドル近傍の要部側面図である。
【図１２】同上装置のパドル近傍の要部側面図であり、弁開成状態を示すものである。
【図１３】同上装置の水流ガイド部材の斜視図である。
【図１４】同上装置の他の実施形態の横断面図である。
【図１５】（イ）は同上装置の他の実施形態の横断面図、（ロ）は同上装置の他の実施形態における水流ガイド部材の斜視図である。
【図１６】本発明に係る第３の実施形態の消火設備用流水検知装置のパドル近傍の側面断面図である。
【図１７】オフィスビルにおけるスプリンクラー設備の全体構成を示す図である。
【符号の説明】
【００７５】
１１      流水検知装置
１１ａ    弁筐体
１１ａ’  二次側弁室
１６      弁体
１６’    回動端
１６”    周縁
１８，２８  パドル支持体
１９      取付孔
２０      パドル
２０’    回動端
２０ａ    支持腕
２０ａ’  スイッチ操作部材
２２      流水検知スイッチ
２４、２７    水流ガイド部材
２４ｂ    水流ガイド板
２７ｂ，２７ｃ  水流ガイド板
【図１】
2007003377.tif 000003
【図２】
2007003377.tif 000004
【図３】
2007003377.tif 000005
【図４】
2007003377.tif 000006
【図５】
2007003377.tif 000007
【図６】
2007003377.tif 000008
【図７】
2007003377.tif 000009
【図８】
2007003377.tif 000010
【図９】
2007003377.tif 000011
【図１０】
2007003377.tif 000012
【図１１】
2007003377.tif 000013
【図１２】
2007003377.tif 000014
【図１３】
2007003377.tif 000015
【図１４】
2007003377.tif 000016
【図１５】
2007003377.tif 000017
【図１６】
2007003377.tif 000018
【図１７】
2007003377.tif 000019